(57)【特許請求の範囲】
【請求項１】
綴るべき用紙を添えるための用紙テーブルと、この用紙テーブルに対向配置されつづり針を保持するマガジンと、このマガジンに保持されたつづり針を用紙テーブル方向に押し出す押刃と、この押刃により押し出され前記用紙を貫通したつづり針の貫通端部を折曲用当接面または成型用当接面により折り曲げるためのアンビルと、このアンビルによる折曲げ動作時に前記つづり針を前記折曲用当接面に係わり合わせた後に前記成型用当接面に係わり合わせる当接面切換機構とを具備してなり、
前記用紙テーブルが、前記アンビルに対応する部位に設けられた窓と、この窓の周囲に設けられ綴るべき用紙が当接する上向き面とを備え、
前記当接面切換機構が、前記アンビルに設けられたカム面と、このカム面に摺接すべく用紙テーブルに形成され当該用紙テーブルの沈み込み動作時に前記カム面を押圧する押圧子とを備え、
前記カム面と異なる高さ位置に設けられた前記成型用当接面がつづり針の貫通端部を折り曲げる際に、前記成型用当接面が前記窓の厚み内に表出することを特徴とするフラットクリンチ型ステープラ。
【請求項２】
前記アンビルが、それぞれ前記折曲用当接面及び成型用当接面を有した対をなすアンビルメンバを具備してなるものであり、前記当接面切換機構が、前記アンビルメンバを相対的に移動させることによりつづり針に係り合う当接面を折曲用当接面から成型用当接面に切換えるように構成したものである請求項１記載のフラットクリンチ型ステープラ。
【請求項３】
前記アンビルが、アンビルベースに前記両アンビルメンバを回動可能に支持させたものであり、前記当接面切換機構が、前記アンビルメンバを接離する方向に回動付勢し得るように構成したものである請求項２記載のフラットクリンチ型ステープラ。
【請求項４】
前記当接面切換機構が、前記用紙テーブルの動きを利用して前記アンビルメンバを駆動するものである請求項２または３記載のフラットクリンチ型ステープラ。
【請求項５】
前記当接面切換機構が、前記アンビルメンバの外側面に設けられたカム面と、これらカム面に摺接すべく用紙テーブルの側壁に形成され当該用紙テーブルの沈み込み動作時に前記カム面を押圧して前記両アンビルメンバを接近する方向に付勢する押圧子と、前記両アンビルメンバを離間する方向に付勢する弾性部材とを具備してなるものである請求項４記載のフラットクリンチ型ステープラ。
【請求項６】
前記アンビルメンバが、基端をアンビルベースに軸着するとともに、前記押刃に対向する先端に折曲用当接面及び成型用当接面を連続して形成したものである請求項２、３、４または５記載のフラットクリンチ型ステープラ。
【請求項７】
前記折曲用当接面が、前記両アンビルメンバが離間した位置で前記つづり針の先端を内側に案内する方向に用紙に対して傾斜したものである請求項２、３、４、５または６記載のフラットクリンチ型ステープラ。
【請求項８】
前記成型用当接面が、前記両アンビルメンバが接近した位置で用紙と平行となるものである請求項２、３、４、５、６または７記載のフラットクリンチ型ステープラ。
【請求項９】
綴るべき用紙を添えるための用紙テーブルと、この用紙テーブルに対向配置されつづり針を保持するマガジンと、このマガジンに保持されたつづり針を用紙テーブル方向に押し出す押刃と、この押刃により押し出され前記用紙を貫通したつづり針の貫通端部を折り曲げるためのアンビルとを具備するフラットクリンチ型ステープラであって、
前記アンビルが、折曲げ動作の最終段階でつづり針の貫通端部をフラットな状態に成形する成型用当接面と、この成型用当接面と異なる高さ位置に設けられたカム面とを備えており、
前記用紙テーブルが、前記アンビルに対応する部位に設けられた窓と、この窓の周囲に設けられ綴るべき用紙が当接する上向き面と、前記カム面に摺接すべく形成され当該用紙テーブルの沈み込み動作時に前記カム面を押圧する押圧子とを備え、
前記折曲げ動作の最終段階で、前記成型用当接面が前記窓の厚み内に表出することを特徴とするフラットクリンチ型ステープラ。
【発明の詳細な説明】
【技術分野】
【０００１】
本発明は、用紙を綴じるためのフラットクリンチ型のステープラに関するものである。
【背景技術】
【０００２】
従来、この種のステープラとして、綴るべき用紙を添えるための用紙テーブルと、この用紙テーブルに対向配置されつづり針を保持するマガジンと、このマガジンに保持されたつづり針を用紙テーブル方向に押し出す押刃と、この押刃により押し出され前記用紙を貫通したつづり針の貫通端部を折り曲げるためのアンビルとを具備してなるものが知られている（例えば、特許文献１を参照）。
【０００３】
ところが従来のものは、固定されたアンビルの先端につづり針の貫通端部を案内して折曲げるための当接面を形成している。この当接面は、前記つづり針の先端を内側に案内する方向に用紙に対して傾斜したものである。そのため、折曲げ最終段階において、前記つづり針の貫通端部における根本部分を十分に用紙方向に押しつけることが困難であり、その根本部分が若干用紙から離れる方向に膨らんだ状態で綴りが完了することになってしまうという不具合がある。
【０００４】
このような不具合は、前記当接面の傾斜をゆるく設定しておくことにより緩和することも可能であるが、このようにすると、折曲げ初期につづり針の先端を円滑に内方に案内することが難しくなり、つづり針の貫通端部が座屈するという問題を招きやすい、というジレンマがある。
【先行技術文献】
【特許文献】
【０００５】
【特許文献１】特公平６−９２０７５号公報
【発明の概要】
【発明が解決しようとする課題】
【０００６】
本発明は、以上のような課題を解消し、つづり針を座屈等を招くことなくフラットな状態に折曲げて綴ることができるフラットクリンチ型ステープラを提供することを目的とする。
【課題を解決するための手段】
【０００７】
本発明は、以上のような課題を解決するために、次のような構成を採用したものである。すなわち、本発明に係るフラットクリンチ型ステープラは、綴るべき用紙を添えるための用紙テーブルと、この用紙テーブルに対向配置されつづり針を保持するマガジンと、このマガジンに保持されたつづり針を用紙テーブル方向に押し出す押刃と、この押刃により押し出され前記用紙を貫通したつづり針の貫通端部を折曲用当接面または成型用当接面により折り曲げるためのアンビルと、このアンビルによる折曲げ動作時に前記つづり針を前記折曲用当接面に係わり合わせた後に前記成型用当接面に係わり合わせる当接面切換機構とを具備してなり、前記アンビルに対応する部位に設けられた窓と、この窓の周囲に設けられ綴るべき用紙が当接する上向き面とを備え、前記当接面切換機構が、前記アンビルに設けられたカム面と、このカム面に摺接すべく用紙テーブルに形成され当該用紙テーブルの沈み込み動作時に前記カム面を押圧する押圧子とを備え、前記カム面と異なる高さ位置に設けられた前記成型用当接面がつづり針の貫通端部を折り曲げる際に、前記成型用当接面が前記窓の厚み内に表出することを特徴とする。
【０００８】
ここで「用紙」は、シート状のもの一般を指すものとし、紙製のもの、プラスチック製のもの、布製のもの等を含むものとする。
【０００９】
このようなものであれば、つづり針を座屈等を招くことなくフラットな状態に折曲げて綴ることができる。すなわち、折曲用当接面によってつづり針の先端を案内することができるため、つづり針の貫通端部の座屈を防ぐために当接面の傾斜をゆるく設定する必要がなくなるとともに、折曲用当接面に係わり合った後のつづり針が成型用当接面に係わり合わされるので、折曲げ最終段階において、前記つづり針の貫通端部における根本部分を十分に用紙方向に押しつけることができる。そのため、その根本部分が若干用紙から離れる方向に膨らんだ状態で綴りが完了する不具合が解消される。したがって、本発明によれば、従来生じていたジレンマを一挙に解消し、用紙を綴る際の一連の動作によって、つづり針を座屈等を招くことなくフラットな状態に折曲げて綴ることができる。
【００１０】
アンビルの好ましい一態様としては、それぞれ前記折曲用当接面及び成型用当接面を有した対をなすアンビルメンバを具備してなるものであり、当接面切換機構は、前記アンビルメンバを相対的に移動させることによりつづり針に係り合う当接面を折曲用当接面から成型用当接面に切換えるように構成したものを挙げることができる。
【００１１】
より具体的には、アンビルが、アンビルベースに前記両アンビルメンバを回動可能に支持させたものであり、前記当接面切換機構が、前記両アンビルメンバを接離する方向に回動付勢し得るように構成したものが、好ましい一例として考えられる。
【００１２】
当接面切換機構は、前記用紙テーブルの動きを利用して前記アンビルメンバを駆動するようにしてもよく、この場合の好適な態様としては、当接面切換機構が、前記アンビルメンバの外側面に設けられたカム面と、これらカム面に摺接すべく用紙テーブルの側壁に形成され当該用紙テーブルの沈み込み動作時に前記カム面を押圧して前記両アンビルメンバを接近する方向に付勢する押圧子と、前記両アンビルメンバを離間する方向に付勢する弾性部材とを具備してなるものを挙げることができる。
【００１３】
各アンビルメンバは、基端をアンビルベースに軸着するとともに、前記押刃に対向する先端に折曲用当接面及び成型用当接面を連続して形成したものが好ましい。
【００１４】
折曲用当接面は、前記アンビルメンバが離間した位置で前記つづり針の先端を内側に案内する方向に用紙に対して傾斜したものであり、成型用当接面は、前記アンビルメンバが接近した位置で用紙と平行となるものであるのが、好ましい一態様として挙げられる。
【００１５】
以上のように、本発明は、つづり針の貫通端部を折り曲げるアンビルが、前記アンビルが、折曲げ動作の最終段階でつづり針の貫通端部をフラットな状態に成形する成型用当接面と、この成型用当接面と異なる高さ位置に設けられたカム面とを備えており、前記用紙テーブルが、前記アンビルに対応する部位に設けられた窓と、この窓の周囲に設けられ綴るべき用紙が当接する上向き面と、前記カム面に摺接すべく形成され当該用紙テーブルの沈み込み動作時に前記カム面を押圧する押圧子とを備え、前記折曲げ動作の最終段階で、前記成型用当接面が前記窓の厚み内に表出するものである。
【発明の効果】
【００１６】
本発明は、以上のような構成であるから、つづり針を座屈等を招くことなくフラットな状態に折曲げて綴ることができるフラットクリンチ型ステープラを提供することができる。
【図面の簡単な説明】
【００１７】
【図１】本発明の一実施形態を示す側面図。
【図２】同実施形態を左右方向中央で切断した側断面図。
【図３】同実施形態の一部を示す分解斜視図。
【図４】同実施形態の一部を示す分解斜視図。
【図５】同実施形態の一部を省略して要部を拡大して示す分解斜視図。
【図６】同実施形態の一部を省略して側面を示す動作説明図。
【図７】同実施形態の一部を省略して側面を示す動作説明図。
【図８】同実施形態の一部を省略して側面を示す動作説明図。
【図９】同実施形態の要部を拡大して示す動作説明図。
【図１０】同実施形態の要部を拡大して示す動作説明図。
【図１１】同実施形態の要部を拡大して示す動作説明図。
【図１２】同実施形態の要部を拡大して示す動作説明図。
【図１３】同実施形態の要部を拡大して示す動作説明図。
【図１４】同実施形態の要部を拡大して示す動作説明図。
【図１５】同実施形態の要部を拡大して示す動作説明図。
【発明を実施するための形態】
【００１８】
以下、本発明の一実施形態について図面を参照しながら説明する。
【００１９】
このフラットクリンチ型ステープラは、図１ないし図１５に示すように、ベース１と、このベース１に枢着され綴るべき用紙Ｐを添えるための用紙テーブル３と、この用紙テーブル３に対向配置されつづり針Ｎを保持するマガジン５と、このマガジン５に保持されたつづり針Ｎを用紙テーブル３方向に押し出す押刃７と、この押刃７により押し出され前記用紙Ｐを貫通したつづり針Ｎの貫通端部Ｎ１を折曲用当接面９または成型用当接面１１により折り曲げるためのアンビル１３と、このアンビル１３による折曲げ動作時に前記つづり針Ｎを前記折曲用当接面９に係わり合わせた後に前記成型用当接面１１に係わり合わせる当接面切換機構１５とを具備してなる。
【００２０】
ベース１は、図１ないし図３及び図５に示すように、合成樹脂により一部品で成形されたもので、後端側に形成された内側壁１７の後側に設けられ前記マガジン５及び後述する押刃ベース１９の基端部２１を枢支する共通枢着部２３と、前記内側壁１７の前側に設けられ前記用紙テーブル３の基端部２４を枢支するテーブル枢着部２５と、前記内側壁１７の外側に形成された外側壁２６に設けられ後述するハンドル１６９を枢支するハンドル枢着部２７と、前記アンビル１３を取付けるためのアンビル取付部２９とを具備してなる。ベース１の後端部には、金属製のリムーバ３１が取り付けられている。
【００２１】
用紙テーブル３は、図１ないし図３及び図５ないし図１５に示すように、板金素材を折曲げ加工して作られた金属製のもので、基端部２４を前記ベース１のテーブル枢着部２５に枢着してなる下方に開放した箱形のもので、前記アンビル１３に対応する部位に窓３３を設けている。この用紙テーブル３は、後端がベース１に設けた後ストッパ３５に当接する用紙固定位置（Ｆ）の近傍から、前記窓３３がアンビル１３の先端６９に近接する沈み込み位置（Ｄ）までの間で上下方向に回動し得るようになっており、ベース１に保持された弾性部材たる用紙テーブルばね３７により用紙固定位置（Ｆ）方向に付勢されている。この用紙テーブル３の両側壁３９にはロック用当接部４１が形成されており、このロック用当接部４１は、当該当接部４１とともに後述するテーブルロック機構４３を構成するロックサポート４５に当接するようになっている。
【００２２】
ロックサポート４５は、図２、図３及び図６ないし図８に示すように、下面に突設した脚部４７をベース１のレール部４９に前後方向にスライド可能に係合させたサポート本体５１を主体に構成されたもので、前記ロック用当接部４１の下方への移動を阻止するロック位置（Ｌ）と、前記ロック用当接部４１の下方への移動を許容する退避位置（Ｓ）との間で進退し得るようになっている。サポート本体５１の後には、ばね収容部５７が設けられており、このばね収容部５７内に該サポート本体５１をロック位置（Ｌ）方向へ付勢する弾性部材たるロックサポートばね５３が配されている。また、前記ばね収容部５７の両側には、後方に延出して後端部が上方に起立するサポートアーム５９が一体に形成されている。
【００２３】
アンビル１３は、図２、図３及び図５ないし図１５に示すように、それぞれ前記折曲用当接面９及び成型用当接面１１を有した対をなすアンビルメンバ６１を具備してなるものであり、具体的には、前記ベース１に取付けられたアンビルベース６３に前記両アンビルメンバ６１をアンビルピン６５を介して相互に接離する方向に回動可能に支持させたものである。
【００２４】
前記アンビルメンバ６１は、厚板状のもので、基端６７をアンビルベース６３に軸着するとともに、前記押刃７に対向する先端６９に折曲用当接面９及び成型用当接面１１を連続して形成したものである。前記折曲用当接面９は、前記両アンビルメンバ６１が離間した位置で前記つづり針Ｎの先端Ｎ２を内側に案内する方向に用紙Ｐに対して傾斜したものであり、前記成型用当接面１１は、前記両アンビルメンバ６１が接近した位置で用紙Ｐと平行となるものである。なお、アンビルメンバ６１は金属製のものであり、アンビルベース６３は合成樹脂により一体成形されたものである。
【００２５】
各アンビルメンバ６１は、アンビルベース６３の下方に設けられた弾性部材たる板ばね７１によって、互いに離間する方向に付勢されている。７３は、前記両アンビルメンバ６１の係止用突起７５を所定の離間位置（Ｓ）で係止するための係止用壁である。すなわち、これらのアンビルメンバ６１は、前記離間位置（Ｓ）と相互に接触又は近接する接近位置（Ｃ）との間で回動し得るように規制されている。
【００２６】
マガジン５は、図１、図２、図４及び図６ないし図８に示すように、前記用紙テーブル３に対向配置されつづり針Ｎを保持するためのもので、板金素材を折曲げることにより作られた上方に開放した箱形のものである。詳述すれば、このマガジン５は、底壁７９と、この底壁７９の両側縁から立ち上がる側壁８１と、その側壁８１の先端部を折曲げて形成された先端壁８３とを具備してなる。前記底壁７９の先端部には、押刃挿通用の窓８５が形成されている。この底壁７９の中間部には、前記両側壁８１から切り起こすことにより形成された突片８７が設けられている。この底壁７９の中間部であって、前記突片８７より先端寄りの位置には、後述するスライダ８９の前動を規制するための突起９１が突設されている。前記両側壁８１の基端部には、軸孔部９３が形成されており、それら両側壁８１の内面には前記軸孔部９３に軸心を一致させて円筒状のマガジンカバー取付軸９５が形成されている。また、前記両側壁８１の外面には、スライダ８９をスライド可能に案内するための外レール９７が突設されているとともに、これら外レール９７に対応する前記両側壁８１の内面には、プッシャ９９をスライド可能に案内するための内レール１０１が凹設されている。
【００２７】
そして、前記軸孔部９３に前記ベース１の共通枢着部２３に設けた軸状突起１０３を係わり合わせることによりベース１に対して上下方向に回動し得るように取付けられている。なお、このマガジン５をベース１に取付けた状態においては、前記突片８７が、ベース１の内側壁１７内面に形成された案内凹部１０５に上下動可能に挿入されており、その突片８７が前記案内凹部１０５の上端に当接する上限位置（Ｕ）でマガジン５のベース１に対する上動が係止されるようになっている。このマガジン５は、ベース１に保持された弾性部材たるマガジンばね１０９により、前記上限位置（Ｕ）方向に付勢されている。
【００２８】
スライダ８９は、図２、図４及び図６ないし図８に示すように、後述するテーブルロック機構４３を構成するためのもので、合成樹脂により一部品で成形されている。詳述すれば、このスライダ８９は、底壁１１１と、この底壁１１１の両側縁から立ち上がる側壁１１３とを具備してなる上方に開口するチャネル状のものである。前記両側壁１１３の外面には、テーブルロック機構４３構成用のピン１１５が相互に軸心を一致させて突設してある。前記両側壁１１３の内面には、マガジン５の外レール９７に前後方向にスライド移動可能に係わり合う凹溝１１７が形成されている。また、両側壁１１３の内面の上縁部分には、マガジン５の両側壁１１３の上端に係わり合う爪１１９が形成されている。この爪１１９の上面には、このスライダ８９を下方からマガジン５に係合させる際に前記両側壁１１３を外方へ一時的に弾性変形させるための案内傾斜面１２１が形成されている。
【００２９】
プッシャ９９は、図２及び図４に示すように、マガジン５内に装填された一連のつづり針Ｎを先端Ｎ２方向に押圧するためのもので、合成樹脂により一部品で成形されている。詳述すれば、つづり針Ｎを押圧するための前壁１２３と、この前壁１２３の背面両側縁から後方に延出させた両側壁１２５と、これら両側壁１２５の後端部間に設けた後壁１２７とを具備してなる枠状のもので、前記両側壁１２５の外面には、前記マガジン５の内レール１０１に前後方向にスライド可能に係わり合う突条１２９が形成されている。この突条１２９の下面には、このプッシャ９９をマガジン５内に上方から押入する際に、主に前記両側壁１２５を一時的に弾性変形させるための案内傾斜面１３１が形成されている。また、一方の側壁１２５の後側における上縁部には、上方に延出する延出壁１３３が形成されており、この延出壁１３３の内面にマガジンカバー１３５に保持されたプッシャばね１３７の先端を掛け止めするためのばね掛けピン１３９が突設されている。
【００３０】
マガジンカバー１３５は、図１、図２、図４及び図６ないし図８に示すように、前記マガジン５の上面開口部１４１を塞ぎ得る位置に配置されつづり針Ｎを補充する際に開閉するもので、板金素材を折曲げることにより作られた下方に開放したチャネル状のものである。詳述すれば、このマガジンカバー１３５は、天壁１４３と、この天壁１４３の両側縁から垂下させた側壁１４５とを具備してなる。天壁１４３の先端には、マガジン５の上面開口部１４１を塞ぐ閉止位置（Ｃ）においてマガジン５の先端壁８３に設けられた凹陥部１４９に係合する突片１５１が形成されている。また、天壁１４３の先端近傍部には、第一の窓１５３と、第二の窓１５５が中間壁１５７を介して隣接形成されている。天壁１４３の基端近傍部には、プッシャばね１３７の基端を掛止するためのフック１５９が形成されている。前記中間壁１５７は、前記両窓１５３、１５５を打ち抜き形成する際に形成される切起片を、天壁１４３の下面側に折り返してなる二重壁構造をなしているもので、側断面視において両端が滑らかな弧状をなすように成形されている。前記両側壁１４５の基端部には、半円弧状をなす軸受部１６１が形成されている。そして、その軸受部１６１を前記マガジン５のマガジンカバー取付軸９５に係わり合わせることにより、このマガジンカバー１３５が前記マガジン５に開閉可能に取付けられている。
【００３１】
プッシャばね１３７は、図２に示すように、比較的長尺な引っ張りコイルばねであり、フック１５９にかけられた基端から前記マガジンカバー１３５の天壁１４３下面に沿って前方に延出され、第一の窓１５３と第二の窓１５５を順次通過することにより、前記中間壁１５７に巻き掛けられている。そして、前記中間壁１５７をスライド可能に経由したプッシャばね１３７は、１８０度方向転換されて後方に延出され、その先端が前記プッシャ９９のばね掛けピン１３９に掛け止めされる。このため、前記プッシャ９９は、このプッシャばね１３７の弾性力により前方に弾性付勢されている。なお、この図２は、本実施形態を左右方向中央で切断した断面図であるが、プッシャばね１３７については切断することなく全体を記載している。
【００３２】
押刃７は、図１、図２、図４及び図６に示すように、前記マガジン５に保持されたつづり針Ｎを用紙テーブル３方向に押し出すためのもので、後述する押刃ベース１９に取り付けられる押刃取付部１６３と、この押刃取付部１６３の先端側から下方に延出する押刃本体１６５とを具備してなる。押刃７は、板金素材を折曲げ加工して作られた金属製のもので、前記押刃本体１６５は、前記マガジン５の先端側に形成された窓８５に挿通される。
【００３３】
押刃ベース１９は、図１、図２、図４及び図６ないし図８に示すように、前記押刃７を保持して、前記マガジン５に対して進退動作をし得るようにしたものであり、前記マガジン５に保持された一連のつづり針Ｎを一往復動作につき一本ずつ用紙Ｐ方向に供給するようになっている。具体的には、押刃ベース１９は、板金素材を折曲げ加工して作られた金属製のもので、その基端部２１は、ベース１の後端に設けられ前記マガジン５の基端部を枢支する共通枢着部２３に回動可能に取り付けられている。この押刃ベース１９の両側壁１６７の外面側には、ハンドル１６９の側壁１７１内面に形成されたカム溝１７３に係わり合うカムフォロワ１７５が設けられている。また、押刃ベース１９の両側壁１６７の下縁部には、前記用紙テーブル３のロック用当接部４１及びロックサポート４５とともにテーブルロック機構４３を構成するロック用案内部１７７を有する。このロック用案内部１７７は、前記スライダ８９のピン１１５を案内すべく上方に延伸する傾斜部分１７９と、この傾斜部分１７９に連続して形成されロックが解除された際に前記スライダ８９のピン１１５が嵌り込む凹陥部分１８１とを備えている。この押刃ベース１９の天壁１８２には、弾性部材たる押刃ベースばね１８３を取り付けるためのスリット１８５を設けている。押刃ベースばね１８３は、この押刃ベース１９を前記マガジン５から離間する方向へ付勢するためのもので、例えば、押刃ベース１９側の端部がマガジン５側の端部よりも大径な円錐コイルばねである。
【００３４】
ハンドル１６９は、図１、図２及び図４に示すように、操作力を押刃ベース１９に伝えるためのもので、合成樹脂により一部品で成形されている。詳述すれば、このハンドル１６９は、天壁１８７と、この天壁１８７の両側縁から垂下する側壁１７１と、前記天壁１８７の前縁から下方に延出する前壁１８９とを具備してなる。前記天壁１８７の上面には、予備のつづり針Ｎを保管するための保管スペース１９１が形成されており、この保管スペース１９１の上面開口部１９３には、キャップ１９５が開閉可能に蓋着されている。前記側壁１７１の後端部１９６は、前記ベース１に設けられたハンドル枢着部２７に枢着されており、ベース１に対してこのハンドル１６９が上下方向に回動し得るようになっている。前記両側壁１７１の内面には、前記押刃ベース１９のカムフォロワ１７５を案内して、当該ハンドル１６９の回動動作を前記押刃ベース１９に伝達するためのカム溝１７３が形成されている。
【００３５】
この実施形態においては、本発明の当接面切換機構１５は、図５及び図９ないし図１５に示すように、前記アンビルメンバ６１に設けられたカム面１９９と、これらカム面１９９に摺接すべく前記用紙テーブル３に形成された押圧子２０１と、両アンビルメンバ６１を付勢する弾性部材たる板ばね７１とを主体にして構成されている。すなわち、当接面切換機構１５は、前記アンビルメンバ６１を接離する方向に回動付勢し得るように構成したものであり、本実施形態においては、前記用紙テーブル３の動きを利用して前記アンビルメンバ６１を駆動するものとしている。当接面切換機構１５を詳述すれば、前記アンビルメンバ６１の外側面に設けられたカム面１９９と、これらカム面１９９に摺接すべく用紙テーブル３の側壁３９に形成され当該用紙テーブル３の沈み込み動作時に前記カム面１９９を押圧して前記両アンビルメンバ６１を接近する方向に付勢する押圧子２０１と、前記両アンビルメンバ６１を離間する方向に付勢する弾性部材たる板ばね７１とを主体に構成される。本実施形態においては、前記側壁３９の下縁部分が前記押圧子２０１として機能するようになっている。
【００３６】
また、テーブルロック機構４３は、図２、図３及び図６ないし図８に示すように、前記用紙テーブル３に設けられたロック用当接部４１と、このロック用当接部４１の下降を禁止するロック位置（Ｌ）と下降を許容する退避位置（Ｓ）との間で進退動作するロックサポート４５と、このロックサポート４５をロック位置（Ｌ）方向に付勢する弾性部材たるロックサポートばね５３と、つづり針Ｎを用紙Ｐに打ち込む動作を利用して前記ロックサポート４５を前記ロックサポートばね５３の付勢力に抗して退避位置（Ｓ）方向に移動させる動作変換機構５５とを具備してなる。
【００３７】
この動作変換機構５５は、前記押刃ベース１９に設けられたロック用案内部１７７と、この押刃ベース１９が用紙テーブル３に接近する際に前記案内部１７７に案内されてスライドするスライダ８９とを具備してなるもので、このスライダ８９のスライド動作により、前記ロックサポート４５を退避位置（Ｓ）に移動させ得るように構成されている。具体的には、前記押刃ベース１９のロック用案内部１７７とロックサポート４５のサポートアーム５９との間に前記スライダ８９のピン１１５を位置させておき、押刃ベース１９が下方に回動して前記案内部１７７によりピン１１５が後方に押圧されることにより、前記サポートアーム５９が後方に移動するようになっている。
【００３８】
次にこのフラットクリンチ型ステープラの作動を説明する。
【００３９】
ハンドル１６９を操作しない状態では、図２に示すように、押刃ベース１９、マガジン５、用紙テーブル３、アンビル１３はそれぞれ初期位置に保持されている。詳述すれば、押刃ベース１９は、前記押刃ベースばね１８３の付勢力により、マガジンカバー１３５から離間する方向に付勢された状態でマガジン５の上方に位置する。マガジン５は、前記マガジンばね１０９の付勢力により、ベース１から離間する方向に付勢された状態で、該マガジン５の側壁８１に設けられた係合用の突起９１がベース１の案内凹部１０５の段部分と係り合う上限位置（Ｕ）に保持される。用紙テーブル３は、前記用紙テーブルばね３７の付勢力により、ベース１から離間する方向に付勢された状態で用紙固定位置（Ｆ）に位置する。アンビル１３は、前記板ばね７１の付勢力により、相互に離間する方向に付勢された状態で、各アンビルメンバ６１に設けられた係止用突起７５が、アンビルベース６３に設けられた係止用壁７３と係り合う離間位置（Ｓ）に保持される。
【００４０】
この状態で、綴るべき用紙Ｐを用紙テーブル３上に添える。しかる後に、ハンドル１６９を前記用紙テーブル３側に近づけるように操作すると、まず、図６に示すように、押刃ベース１９のカムフォロワ１７５がハンドル１６９の内面に設けられたカム溝１７３に沿って基端側へと案内されながら、前記ハンドル１６９と押刃ベース１９との距離が接近していく。そして、前記マガジンばね１０９の付勢力に抗してマガジン５が用紙テーブル３側に接近するとともに、押刃７がマガジン５の先端側の壁の内面に沿って該マガジン５に設けられた窓８５に向かって移動する。
【００４１】
この位置からハンドル１６９をさらに操作すると、前記押刃ベースばね１８３の付勢力に抗して押刃ベース１９が用紙テーブル３側に近づくとともに、押刃７がマガジン５に保持されたつづり針Ｎのうち最先端の１本を押圧し、前記マガジン５から用紙Ｐに向かってつづり針Ｎが供給される。
【００４２】
本実施形態においては、用紙Ｐの裏面側までつづり針Ｎの先端Ｎ２が貫通し終わるタイミングと、前記テーブルロック機構４３によるロック状態が解除されるタイミングを略同時期としている。したがって、図７に示すように、マガジン５から用紙Ｐに向かってつづり針Ｎが供給される位置からハンドル１６９をさらに操作すると、図８に示すように、テーブルロック機構４３によるロック状態が解除され、用紙テーブル３が沈み込み位置（Ｄ）まで移動する。用紙テーブル３が沈み込み位置（Ｄ）まで移動する過程において、つづり針Ｎの先端Ｎ２がアンビルメンバ６１の先端６９に向かって降下し、図９に示すように、アンビルメンバ６１の折曲用当接面９に当接する。この状態で、さらに前記マガジンばね１０９の付勢力に抗してマガジン５が用紙テーブル３側に接近しており、図１０乃至図１３に示すように、前記つづり針Ｎの先端Ｎ２が、漸次接近する方向に移動するアンビルメンバ６１の前記折曲用当接面９により内方に案内されて、そのつづり針Ｎの貫通端部Ｎ１が内方に折れ曲がっていく。そして、図１４に示すように、その折れ曲がりが最終段階に達した時点で、アンビル１３の成型用当接面１１が前記つづり針Ｎに接することとなり、この成型用当接面１１により前記つづり針Ｎの貫通端部Ｎ１が用紙Ｐの下面に略密着するようにフラットな状態に押し付け成形される。
【００４３】
ついで、ハンドル１６９への操作を解除すると、まず、ハンドル１６９から押刃ベース１９のカムフォロワ１７５に作用していた押圧力が解除され、押刃７によるつづり針Ｎに対する下方への押圧力が消勢する。それによって、押刃ベース１９とマガジン５が解放され、これら押刃ベース１９とマガジン５が、それぞれ押刃ベースばね１８３及びマガジンばね１０９の付勢力により上動する。その結果、用紙テーブル３が、主に用紙テーブルばね３７の付勢力により上動し、アンビル１３が板ばね７１の付勢力により接近位置（Ｃ）から離間位置（Ｓ）へと復帰して、もとの待機状態である離間位置（Ｓ）に戻る。用紙テーブル３が用紙固定位置（Ｆ）付近まで上動すると、ロック用当接部４１がロックサポート４５の進退領域から外れた位置まで退避することになり、ロックサポート４５がロックサポートばね５３の付勢力によりロック位置（Ｌ）まで自己復帰し、初期状態となる。
【００４４】
以上のような構成とすることにより、本実施形態に係るフラットクリンチ型ステープラは、綴るべき用紙Ｐを添えるための用紙テーブル３と、この用紙テーブル３に対向配置されつづり針Ｎを保持するマガジン５と、このマガジン５に保持されたつづり針Ｎを用紙テーブル３方向に押し出す押刃７と、この押刃７により押し出され前記用紙Ｐを貫通したつづり針Ｎの貫通端部Ｎ１を折曲用当接面９または成型用当接面１１により折り曲げるためのアンビル１３と、このアンビル１３による折曲げ動作時に前記つづり針Ｎを前記折曲用当接面９に係わり合わせた後に前記成型用当接面１１に係わり合わせる当接面切換機構１５とを具備してなるので、つづり針Ｎを座屈等を招くことなくフラットな状態に折曲げて綴ることができる。すなわち、折曲用当接面９によってつづり針Ｎの先端Ｎ２を案内することができるため、つづり針Ｎの貫通端部Ｎ１の座屈を防ぐために当接面の傾斜をゆるく設定する必要がなくなるとともに、折曲用当接面９に係わり合った後のつづり針Ｎが成型用当接面１１に係わり合わされるので、折曲げ最終段階において、前記つづり針Ｎの貫通端部Ｎ１における根本部分Ｎ３を十分に用紙Ｐ方向に押しつけることができる。そのため、その根本部分Ｎ３が若干用紙Ｐから離れる方向に膨らんだ状態で綴りが完了する不具合が解消される。
【００４５】
特に、アンビル１３が、それぞれ前記折曲用当接面９及び成型用当接面１１を有した対をなすアンビルメンバ６１を具備してなるので、折曲用当接面９のみを備えていた従来のアンビル１３と比べて、成型用当接面１１でつづり針Ｎをフラットな状態にすることができる。また、つづり針Ｎをフラットな状態に折り曲げて綴る成型用のために別途部品を取り付ける必要がなく、部品点数を削減することができる。さらに、アンビル１３が、アンビルベース６３に前記両アンビルメンバ６１を回動可能に支持させたものであり、前記当接面切換機構１５が、前記アンビルメンバ６１を接離する方向に回動付勢し得るようにしているので、アンビルメンバ６１をスライド移動させて当接面を切り換える場合よりも、切り換えのためのスペースが少なくて済む。また、各アンビルメンバ６１は、前記押刃７に対向する先端６９に折曲用当接面９及び成型用当接面１１を連続して形成したものであるので、図９ないし図１５に示すように、折り曲げ行程と成型行程をスムーズに連続させて綴り動作を行うことができる。
【００４６】
また、テーブルロック機構４３を備えているので、不用意に用紙テーブル３が下方に押し下げられることがなくなる。そのため、用紙テーブル３の側壁３９下端部に形成された押圧子２０１がアンビルメンバ６１のカム面１９９を不用意に押すことがなくなる。すなわち、テーブルロック機構４３のロックが解除されたときにのみ、用紙テーブル３が下方に移動し、綴り動作を行うことができるものとなっている。
【００４７】
なお、本発明は以上に述べた実施形態に限られない。
【００４８】
当接面切換機構は、スライド動作等の直線動作で接離可能に前記アンビルメンバを相対的に移動させるものであってもよい。
【００４９】
用紙は、シート状のものであれば、紙製のものに限られず、プラスチック製のシート体や布製のシート体であってもよい。また、用紙の枚数も、図示したような比較的多い枚数の場合に限られず、一枚または少ない枚数であってもよい。
【００５０】
その他、本発明の趣旨を損ねない範囲で種々に変更してよい。
【符号の説明】
【００５１】
３…用紙テーブル
５…マガジン
７…押刃
９…折曲用当接面
１１…成型用当接面
１３…アンビル
１５…当接面切換機構
６１…アンビルメンバ
６３…アンビルベース
１９９…カム面
２０１…押圧子
Ｐ…用紙
Ｎ…つづり針
Ｎ１…貫通端部
【図１】
0005521215.tif 000002
【図２】
0005521215.tif 000003
【図３】
0005521215.tif 000004
【図４】
0005521215.tif 000005
【図５】
0005521215.tif 000006
【図６】
0005521215.tif 000007
【図７】
0005521215.tif 000008
【図８】
0005521215.tif 000009
【図９】
0005521215.tif 000010
【図１０】
0005521215.tif 000011
【図１１】
0005521215.tif 000012
【図１２】
0005521215.tif 000013
【図１３】
0005521215.tif 000014
【図１４】
0005521215.tif 000015
【図１５】
0005521215.tif 000016